(57)【要約】      （修正有）【課題】傘を閉じる際、元親骨と補助骨とが並列に配置されるので、傘骨格の直径を効果的に縮小可能であり、傘骨格に細身という利点が備わる折り畳み傘の骨格を提供する。【解決手段】中棒１０、上ろくろ２０、下ろくろ３０、元親骨４０、先親骨５０、補助骨６０、受骨７０を含み、上ろくろが中棒の上端に固着され、下ろくろがスライド可能に中棒に設けられ、元親骨の内端が下ろくろと枢着し、元親骨の外端が先親骨における内端寄りの部位と枢着し、補助骨の内端が上ろくろと枢着する、折り畳み傘の骨格であって、受骨の内端が補助骨における外端寄りの部位と枢着し、受骨の外端が先親骨の内端と枢着し、更に、元親骨の中央部に取り付けられるダボを含み、ダボは覆設部及び覆設部の側辺に位置する枢着部を含み、覆設部が元親骨に覆設され、補助骨の外端が枢着部と枢着する。【選択図】図１
0003196706.tif 000002
【実用新案登録請求の範囲】
【請求項１】
中棒、上ろくろ、下ろくろ、元親骨、先親骨、補助骨、受骨を含み、当該上ろくろが当該中棒の上端に固着され、当該下ろくろがスライド可能に当該中棒に設けられ、当該元親骨の内端が当該下ろくろと枢着し、当該元親骨の外端が当該先親骨における内端寄りの部位と枢着し、当該補助骨の内端が当該上ろくろと枢着する、折り畳み傘の骨格であって、
当該受骨の内端が当該補助骨における外端寄りの部位と枢着し、当該受骨の外端が当該先親骨の内端と枢着し、
更に、当該元親骨の中央部に取り付けられるダボを含み、
当該ダボは覆設部及び当該覆設部の側辺に位置する枢着部を含み、当該覆設部が当該元親骨に覆設され、当該補助骨の外端が当該枢着部と枢着する、ことを特徴とする折り畳み傘の骨格。
【請求項２】
当該補助骨の外端は、当該元親骨側に向かって屈曲して屈曲部を形成し、前記屈曲部が前記枢着部と枢着し、前記受骨は当該補助骨における当該元親骨側に接続される、ことを特徴とする請求項１に記載の折り畳み傘の骨格。
【請求項３】
前記中棒は、移動可能に一体的に嵌装された多角形の外管と円形の内管を含み、
当該外管の下端には絞り部が設けられ、当該内管の上端には掛着部が設けられ、当該絞り部と当該掛着部は、内管が外管から抜け落ちないよう互いに掛着し、
当該上ろくろと下ろくろが当該外管に設けられ、
当該内管内には内管に対して出没可能なはじきが設けられ、当該下ろくろには当該はじきに対応して係合溝が設けられている、ことを特徴とする請求項１または２に記載の折り畳み傘の骨格。
【請求項４】
引っ張り機構を更に含み、前記引っ張り機構がバネ、滑車及び引き線を含み、
当該バネは当該外管内に収容されて当該外管と当該内管の間で弾性的に付勢しており、
当該滑車は当該外管内に取り付けられ、
当該引き線の一端が当該内管に接続され、当該引き線の他端が滑車に巻き回された後に当該外管から導出されて当該下ろくろに接続される、ことを特徴とする請求項３に記載の折り畳み傘の骨格。
【請求項５】
前記引っ張り機構は更にリンク管を含み、当該リンク管は当該外管内に設けられ、当該バネが当該リンク管に覆設される、ことを特徴とする請求項４に記載の折り畳み傘の骨格。
【請求項６】
当該内管内にはバネストッパーが設けられ、バネストッパーの下に栓が設けられ、当該引き線の一端が当該バネストッパーを貫通して当該栓に接続され、当該内管と当該リンク管とは同軸であり、当該内管の内径は当該バネの外径よりも大きく、当該バネは当該バネストッパーを弾性的に付勢している、ことを特徴とする請求項５に記載の折り畳み傘の骨格。
【考案の詳細な説明】
【技術分野】
【０００１】
本考案は折り畳み傘の骨格に関し、特に、細身の折り畳み傘の骨格に関する。
【背景技術】
【０００２】
傘は最も常用される日常生活用品として、風よけ、雨よけ、日よけ等の機能を備える。中でも折り畳み傘は収納に便利なことから愛用者が多い。通常、折り畳み傘は中棒、元親骨、先親骨、補助骨、受骨を含む。従来の折り畳み傘の場合、折り畳み時には中棒、補助骨、受骨、元親骨、先親骨の順で一体に折り畳まれることから、折り畳み後の傘骨格は全体的に直径が大きく、スペースとってしまう。
【考案の概要】
【０００３】
本考案は、背景技術の不備が回避される折り畳み傘の骨格を提供する。本考案では、技術的課題を解決するために以下の技術方案を用いた。
【０００４】
中棒、上ろくろ、下ろくろ、元親骨、先親骨、補助骨、受骨を含み、当該上ろくろが当該中棒の上端に固着され、当該下ろくろがスライド可能に当該中棒に設けられ、当該元親骨の内端が当該下ろくろと枢着し、当該元親骨の外端が当該先親骨における内端寄りの部位と枢着し、当該補助骨の内端が当該上ろくろと枢着する、折り畳み傘の骨格であって、当該受骨の内端が当該補助骨における外端寄りの部位と枢着し、当該受骨の外端が当該先親骨の内端と枢着し、更に、当該元親骨の中央部に取り付けられるダボを含み、当該ダボは覆設部及び当該覆設部の側辺に位置する枢着部を含み、当該覆設部が当該元親骨に覆設され、当該補助骨の外端が当該枢着部と枢着する。
【０００５】
好ましい実施例において、当該補助骨の外端は、当該元親骨側に向かって屈曲して屈曲部を形成し、前記屈曲部が前記枢着部と枢着し、前記受骨は当該補助骨における当該元親骨側に接続される。
【０００６】
好ましい実施例において、前記中棒は、移動可能に一体的に嵌装された多角形の外管と円形の内管を含み、当該外管の下端には絞り部が設けられ、当該内管の上端には掛着部が設けられ、当該絞り部と当該掛着部は、内管が外管から抜け落ちないよう互いに掛着し、当該上ろくろと下ろくろが当該外管に設けられ、当該内管内には内管に対して出没可能なはじきが設けられ、当該下ろくろには当該はじきに対応して係合溝が設けられている。
【０００７】
好ましい実施例において、引っ張り機構を更に含み、前記引っ張り機構がバネ、滑車及び引き線を含み、当該バネは当該外管内に収容されて当該外管と当該内管の間で弾性的に付勢しており、当該滑車は当該外管内に取り付けられ、当該引き線の一端が当該内管に接続され、当該引き線の他端が滑車に巻き回された後に当該外管から導出されて当該下ろくろに接続される。
【０００８】
好ましい実施例において、前記引っ張り機構は更にリンク管を含み、当該リンク管は当該外管内に設けられ、当該バネが当該リンク管に覆設される。
【０００９】
好ましい実施例において、当該内管内にはバネストッパーが設けられ、バネストッパーの下に栓が設けられ、当該引き線の一端が当該バネストッパーを貫通して当該栓に接続され、当該内管と当該リンク管とは同軸であり、当該内管の内径は当該バネの外径よりも大きく、当該バネは当該バネストッパーを弾性的に付勢している。
【００１０】
背景技術と比較して、本技術方案は以下の点で優れている。
１．当該枢着部が当該覆設部の側片に位置し、当該補助骨の外端が当該枢着部と枢着することから、傘を閉じる際、当該元親骨と当該補助骨とが並列に配置されるので、傘骨格の直径を効果的に縮小可能であり、傘骨格に細身という利点が備わる。
２．当該補助骨の外端は当該元親骨側に向かって屈曲して屈曲部を形成する。これより、補助骨と元親骨の間に受骨を放置する間隙を形成可能となり、補助骨、受骨、元親骨の３者が並列に配置されるため、傘骨格の直径が更に縮小される。
３．更に引っ張り機構を含み、当該引き線の一端が当該内管に接続され、当該引き線の他端が滑車に巻き回された後に当該外管から導出されて当該下ろくろに接続される。よって、傘を開く際にはバネの弾力で内管を押し出し、傘を閉じる際には引き線により内管の回収を補助するため、操作に要する力が節減されるとの利点が備わる。
４．当該バネは当該リンク管に覆設されるため、バネの伸縮が安定し、異音が防止される。
【図面の簡単な説明】
【００１１】
【図１】図１は、本考案の折り畳み傘の骨格を示す断面図である。
【図２】図２は、図１の折り畳み傘の骨格におけるダボを示す斜視図である。
【図３】図３は、図１の折り畳み傘の骨格における補助骨を示す斜視図である。
【図４】図４は図１のＡ部分を示す拡大図である。
【図５】図５は、図１の折り畳み傘の骨格を展開した図である。
【図６】図６は、図１の折り畳み傘の骨格における内管と外管の接続を示す図である。
【考案を実施するための形態】
【００１２】
以下、図面と実施例を組み合わせて本考案更を更に説明する。
【００１３】
図１を参照して、本考案の折り畳み傘の骨格は、中棒１０、上ろくろ２０、下ろくろ３０、元親骨４０、先親骨５０、補助骨６０、受骨７０、ダボ８０及び引っ張り機構を含む。
【００１４】
前記中棒１０は、移動可能に一体的に嵌装された外管１２と内管１４を含む。当該内管１４内には、内管に対して出没可能なはじき１４２が設けられている。当該内管１４内にはバネストッパー１４５が設けられており、当該バネストッパー１４５は当該内管１４の中央部に位置し、当該バネストッパー１４５の下に栓１４４が接続されている。当該内管１４の上端には掛着部１４６が設けられ、当該掛着部１４６は多角形とされる。当該外管１２の下端には円形の絞り部１２２が設けられている。前記絞り部１２２と掛着部１４６は、内管１４が外管１２から抜け落ちないよう組み合わされて一体的に掛着される（図６）。
【００１５】
当該上ろくろ２０は当該中棒の上端に固着され、当該外管１２の上端に当該上ろくろ２０が固設される。当該下ろくろ３０はスライド可能に当該外管１２に設けられており、当該下ろくろ３０には、当該はじき１４２に対応して係合溝３２が設けられている。傘を閉じた状態では、当該はじき１４２が当該係合溝３２内に挿入されることで内管１４の伸出を阻止する。
【００１６】
前記引っ張り機構はバネ９２、滑車９４、引き線９６、リンク管９８を含む。当該リンク管９８は当該外管１２内に固設され、当該リンク管９８と当該外管１２とは同軸である。当該内管１４の内径は当該バネ９２の外径より大きく、当該内管１４と当該リンク管９８とは同軸である。当該バネ９２は当該リンク管９８に覆設されている。当該バネ９２は当該外管１２内に収容されて、当該外管１２と当該内管１４のバネストッパー１４５との間で弾性的に付勢している。当該滑車９４は当該外管１２内に取り付けられている。当該引き線９６の一端は当該バネストッパー１４５を貫通して当該栓１４４に接続されており、当該引き線９６の他端は滑車９４に巻き回された後に当該外管１２から導出されて当該下ろくろ３０に接続される。
【００１７】
図２を参照して、当該ダボ８０は覆設部８２及び当該覆設部８２の側辺に位置する枢着部８４を含む。
【００１８】
図３を参照して、当該補助骨６０の外端は当該元親骨４０側に向かって屈曲して屈曲部６２を形成している。
【００１９】
図１と図４を参照して、当該覆設部８２は当該元親骨４０の中央部に覆設される。当該元親骨４０の内端は当該下ろくろ３０と枢着し、当該元親骨４０の外端は当該先親骨５０における内端寄りの部位と枢着する。当該補助骨６０の内端は当該上ろくろ２０と枢着し、前記屈曲部６２が前記枢着部８４と枢着し、前記補助骨６０と当該元親骨４０の間には、当該受骨７０を収容するための間隙が形成される。当該受骨７０の内端は、当該補助骨６０における外端寄りの部位と枢着するとともに、当該補助骨６０の当該元親骨４０側に位置し、当該受骨７０の外端が当該先親骨５０の内端と枢着する。
【００２０】
図５を参照して、展開時には当該下ろくろ３０が上方向に移動し、当該元親骨４０と当該先親骨５０が外側に伸張する。
【００２１】
以上は本考案の好ましい実施例にすぎず、本考案の実施範囲を限定するものではない。即ち、本考案における請求の範囲及び明細書の内容に基づきなされる等価の変更及び補足は、いずれも本考案の範囲内とみなされる。
【図１】
0003196706.tif 000003
【図２】
0003196706.tif 000004
【図３】
0003196706.tif 000005
【図４】
0003196706.tif 000006
【図５】
0003196706.tif 000007
【図６】
0003196706.tif 000008